(57)【要約】【課題】伝搬遅延量が大きいパスから伝搬遅延量が小さいパスへの切替時にも、逆拡散結果の欠損を生じさせることがないフィンガ装置を提供すること。【解決手段】本発明のフィンガ装置は、選択部１０２、逆拡散器１０３、１０４及びバッファ１０５、１０６を具備している。選択部１０２は、逆拡散器１０３、１０４の１つにより逆拡散している１つのパスを他のパスに切り替えるパス切替において切替元のパスの逆拡散停止時刻が切替先のパスの逆拡開始時刻より後になる場合に前記切替先のパスの逆拡散開始時刻から前記切替元のパスの逆拡散停止時刻までの逆拡散重複期間に逆拡散器１０３、１０４を並行して動作させて前記切替元のパス及び前記切替先のパスの逆拡散を実行させて逆拡散結果を生成してバッファ１０５、１０６に記憶させる。【選択図】　　　図１
2004072508.tif 000002
【特許請求の範囲】
【請求項１】
拡散符号を生成する符号生成手段と、受信信号のマルチパスの１つのパスを前記拡散符号によって逆拡散して第１及び第２の逆拡散結果を生成する第１及び第２の逆拡散手段と、制御情報に基づいて前記第１及び第２の逆拡散手段を選択して動作させる選択手段と、前記第１及び第２の逆拡散手段より出力される第１及び第２の逆拡散結果を一時的に記憶する第１及び第２の逆拡散結果記憶手段と、前記制御情報に基づいて前記第１及び第２の逆拡散結果記憶手段から前記第１及び第２の逆拡散結果を読み出して出力する出力制御手段と、を具備し、前記選択手段は、前記第１の逆拡散手段により逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に前記第１及び第２の逆拡散手段を並行して動作させて前記切替元のパス及び前記切替先のパスの逆拡散を実行させて前記第１及び第２の逆拡散結果を生成して前記第１及び第２の逆拡散結果記憶手段に記憶させることを特徴とするフィンガ装置。
【請求項２】
拡散符号を生成する符号生成手段と、受信信号のマルチパスの１つのパスを前記拡散符号によって逆拡散して第１及び第２の逆拡散結果を生成する第１及び第２の逆拡散手段と、前記拡散符号の初期値と拡散率と伝搬遅延情報とを含むパス情報に基づいて制御情報を生成するフィンガ制御手段と、前記フィンガ制御手段からの前記制御情報に基づいて前記第１及び第２の逆拡散手段を選択して動作させる選択手段と、前記第１及び第２の逆拡散手段より出力される第１及び第２の逆拡散結果を記憶する第１及び第２の逆拡散結果記憶手段と、前記フィンガ制御手段からの前記制御情報に基づいて前記第１及び第２の逆拡散結果記憶手段から第１及び第２の逆拡散結果を読み出して出力する出力制御手段と、を具備し、前記選択手段は、前記第１の逆拡散手段により逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に前記第１及び第２の逆拡散手段を並行して動作させて前記切替元のパス及び前記切替先のパスの逆拡散を実行させて前記第１及び第２の逆拡散結果を生成して前記第１及び第２の逆拡散結果記憶手段に記憶させ、前記出力制御手段は、前記第１及び第２の逆拡散結果記憶手段に前記逆拡散重複期間において前記第１及び第２の逆拡散結果が格納された時に前記第１の逆拡散結果記憶手段から前記第１の逆拡散結果を読み出して出力した後に前記第２の逆拡散結果記憶手段から前記第２の逆拡散結果を読み出して出力することを特徴とするフィンガ装置。
【請求項３】
拡散符号を受信信号の入力速度の２倍の速度で生成する倍速符号生成手段と、前記受信信号を一時的に記憶する受信信号記憶手段と、前記受信信号のマルチパスの１つのパスを前記拡散符号によって前記受信信号の入力速度の２倍の速度で逆拡散する倍速逆拡散手段と、制御情報及び前記受信信号記憶手段の記憶量に基づいて前記倍速逆拡散手段の動作を制御する逆拡散動作制御手段と、を具備し、前記逆拡散動作制御手段は、前記受信信号記憶手段の前記記憶量が前記受信信号の符号長の半分の長さに達した時刻ごとに前記倍速逆拡散手段の動作を開始させて前記受信信号の符号長の半分の長さに対応する時間だけ動作させて前記倍速逆拡散手段を断続的に動作させることを特徴とするフィンガ装置。
【請求項４】
拡散符号を受信信号の入力速度の１倍又は２倍の速度で生成する符号生成手段と、前記受信信号を一時的に記憶する受信信号記憶手段と、前記受信信号のマルチパスの１つのパスを前記拡散符号によって前記受信信号の入力速度の１倍又は２倍の速度で逆拡散する逆拡散手段と、制御情報及び前記受信信号記憶手段の記憶量に基づいて前記符号生成手段及び前記逆拡散手段の動作を制御する逆拡散動作制御手段と、を具備し、前記逆拡散動作制御手段は、前記逆拡散手段により逆拡散するパスを切り替えるパス切替時間以外の時間において前記符号生成手段が前記拡散符号を前記受信信号の入力速度の１倍の速度で生成し前記逆拡散手段がパスを前記拡散符号によって前記受信信号の入力速度の１倍の速度で逆拡散するように制御し、かつ、前記パス切替時間において前記受信信号記憶手段の前記記憶量が前記受信信号の符号長の半分の長さに達した時刻から前記受信信号の符号長の半分の長さに対応した時刻までの期間のみにおいて前記符号生成手段による前記拡散符号の生成速度を前記受信信号の入力速度の２倍の速度に変更し前記逆拡散手段によるパスの逆拡散の速度を前記受信信号の入力速度の２倍の速度に変更することを特徴とするフィンガ装置。
【請求項５】
請求項１から請求項４までのいずれかに記載のフィンガ装置を具備することを特徴とする通信システム。
【発明の詳細な説明】
【０００１】
【発明の属する技術分野】
本発明は、複数のマルチパス成分を含むＣＤＭＡ方式の受信信号に対して１つのパスについての逆拡散をするフィンガ装置に関するものである。
【０００２】
【従来の技術】
従来のフィンガ装置としては、特開２０００−４２１１号公報に記載されているものがある。この公報に示されるように、従来のフィンガ装置を具備する受信端末装置は、複数のフィンガ装置を備えており、１つのフィンガ装置に割り当てられるパスをマッチドフィルタ等のパス検出装置より検出された複数のパスから１つのパスを選出して割り当てる。フィンガ装置にパスを割り当てる際には伝搬遅延情報及び拡散符号の初期値を含むパス情報が入力され、時刻が伝搬遅延より算出される時刻に達した時に、フィンガ装置は逆拡散を開始する。フィンガ装置は、拡散符号列と受信信号列とを１対１に乗じて逆拡散を行った後に、拡散符号長さ分の総和を逆拡散結果としてレイク合成装置に与える。
【０００３】
また、従来のフィンガ装置においては、特開平１０−１７８３６８号公報に開示されるように、フィンガ装置に既に割当てられているパスから別のパスへの切り替えを行う時に、切替元のパスが割り当てられているフィンガ装置とは別の予備のフィンガ装置を用い、切替先パスを予備のフィンガ装置に割り当て、かつ、切替元のフィンガ装置のパス割り当てを解除する。パスの切り替えの方式の１つは、切り替える２つのパスが異なる無線基地局に渡って行われる方式である。パスの切り替えの方式の他のものは、同一の無線基地局内で行われるものである。
【０００４】
ＷＣＤＭＡ通信方式においては、異なる無線基地局とは互いに非同期であるため、それぞれの無線基地局が送信する無線信号の送信タイミングの差が非常に大きい場合が有り得る。そのため、異なる無線基地局間に渡るパスの切り替え方式においては、２つのフィンガ装置を用いる必要がある。
【０００５】
一方、同一の無線基地局内におけるパスの切り替えは、送信タイミングが同一であるため、フィンガ装置に割当可能な範囲の伝搬遅延を有するパスであれば、１つのフィンガ装置でパスを切り替えることが可能である。また、１つのフィンガ装置内でパスの切り替えを実現することは、予備のフィンガ装置を用いる必要が無い。
【０００６】
【発明の解決しようとする課題】
しかしながら、従来のフィンガ装置においては、同一無線基地局内のパスの切り替えを１つのフィンガ装置のみで行う場合において、切替先のパスの伝搬遅延量が切替元のパスの伝搬遅延量よりも小さい場合に、２つのパスについての逆拡散が同時刻に重複するため、切替元のパス又は切替先のパスのどちらか一方についての逆拡散が行えないから、切替元のパス又は切替先のパスの一方の逆拡散結果が欠損する問題がある。このことについて、図８を参照して詳細に説明する。
【０００７】
図８は、従来のフィンガ装置のパス切替時における様子を説明するための図である。図８の横軸は時刻を示し、時刻ｔ１でマッチドフィルタ等のパス検出手段より得られる遅延プロファイル８０１にパスａ〜ｄが現れている。パスａ〜ｄは同一セル内の無線信号の各経路に対応するものである。遅延プロファイルの横軸は伝搬遅延量を示し、遅延プロファイルの縦軸は拡散符号との相関値を示し、相関値が高い程パスの受信強度が高いことを表す。
【０００８】
時刻ｔ１の遅延プロファイル８０１ではパスｄの相関値が最も高いため、時刻ｔ２で受信信号の逆拡散をする際にパスｄがフィンガ装置に割り当てられる。この時、フィンガ装置にパスｄの伝搬遅延量及び拡散符号の初期値が入力される。時刻が前記伝搬遅延量と拡散符号の初期値から算出される逆拡散を開始する時刻ｔ３に達した時に、フィンガ装置はパスｄの伝搬遅延量における受信信号の逆拡散を開始する。時刻ｔ２以降はフィンガ装置に対するパス割り当て解除指示が出されるまで、受信信号と拡散符号を拡散符号の長さ分積和した後に、その結果を出力する動作を繰り返し行う。
【０００９】
次に、時刻ｔ４で伝搬路の変化等により遅延プロファイル８０２のようにパスｄの相関値が低く、かつ、パスａの相関値が高くなったため、パスｄからパスａへの切り替えを行う。その際に、時刻ｔ５でパスａの割り当て指示し、かつ、パスｄの割り当て解除指示がパス割り当て元より行われる。前記指示により、パスａの逆拡散開始時刻ｔ６と、パスｄの割り当て解除指示により逆拡散停止時刻ｔ７とが算出される。この時、パスａはパスｄよりも伝搬遅延量が小さいため、パスａについての逆拡散開始時刻ｔ６がパスｄについての逆拡散停止時刻ｔ７よりも前に位置し、時刻ｔ６と時刻ｔ７の間で２つのパスの逆拡散を同時に行う必要がある。
【００１０】
１つのフィンガ装置のみでこれを行うことはできないため、パスａについての逆拡散を優先し、時刻ｔ６でパスｄの割り当てを強制的に解除してパスａの割り当てを行う場合に、パスｄについて符号長分の逆拡散の途中で逆拡散を中止するため、十分な量の逆拡散結果が得られず、誤りが生じやすくなる。この逆拡散結果の誤りは、伝送速度が速くなるにつれて拡散符号の長さが短くなるために顕著に生じ易くなる。
【００１１】
本発明は、かかる点に鑑みてなされたものであり、伝搬遅延量が大きいパスから伝搬遅延量が小さいパスへの切替時にも、逆拡散結果の欠損を生じさせることがないフィンガ装置を提供することを目的をする。
【００１２】
【課題を解決するための手段】
本発明のフィンガ装置は、拡散符号を生成する符号生成手段と、受信信号のマルチパスの１つのパスを前記拡散符号によって逆拡散して第１及び第２の逆拡散結果を生成する第１及び第２の逆拡散手段と、制御情報に基づいて前記第１及び第２の逆拡散手段を選択して動作させる選択手段と、前記第１及び第２の逆拡散手段より出力される第１及び第２の逆拡散結果を一時的に記憶する第１及び第２の逆拡散結果記憶手段と、前記制御情報に基づいて前記第１及び第２の逆拡散結果記憶手段から前記第１及び第２の逆拡散結果を読み出して出力する出力制御手段と、を具備し、前記選択手段が、前記第１の逆拡散手段により逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に前記第１及び第２の逆拡散手段を並行して動作させて前記切替元のパス及び前記切替先のパスの逆拡散を実行させて前記第１及び第２の逆拡散結果を生成して前記第１及び第２の逆拡散結果記憶手段に記憶させる構成を採る。
【００１３】
この構成によれば、選択手段が逆拡散重複期間に逆拡散手段を並行して動作させて切替元のパス及び切替先のパスの逆拡散を実行させて拡散結果を生成して保持するから、パス切り替えの時に切替先のパスの伝搬遅延量が切替元のパスの伝搬遅延量よりも小さい時においても逆拡散結果の欠損を生じさせない。また、この構成によれば、１つのフィンガ装置の内部でパスの切り替えを行うため、フィンガ装置を有効に用いることができ、かつ、パス割り当て元においてパスの切替に関する処理負荷を減らすことができる。
【００１４】
本発明のフィンガ装置は、拡散符号を生成する符号生成手段と、受信信号のマルチパスの１つのパスを前記拡散符号によって逆拡散して第１及び第２の逆拡散結果を生成する第１及び第２の逆拡散手段と、前記拡散符号の初期値と拡散率と伝搬遅延情報とを含むパス情報に基づいて制御情報を生成するフィンガ制御手段と、前記フィンガ制御手段からの前記制御情報に基づいて前記第１及び第２の逆拡散手段を選択して動作させる選択手段と、前記第１及び第２の逆拡散手段より出力される第１及び第２の逆拡散結果を記憶する第１及び第２の逆拡散結果記憶手段と、前記フィンガ制御手段からの前記制御情報に基づいて前記第１及び第２の逆拡散結果記憶手段から第１及び第２の逆拡散結果を読み出して出力する出力制御手段と、を具備し、前記選択手段が、前記第１の逆拡散手段により逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に前記第１及び第２の逆拡散手段を並行して動作させて前記切替元のパス及び前記切替先のパスの逆拡散を実行させて前記第１及び第２の逆拡散結果を生成して前記第１及び第２の逆拡散結果記憶手段に記憶させ、前記出力制御手段が、前記第１及び第２の逆拡散結果記憶手段に前記逆拡散重複期間において前記第１及び第２の逆拡散結果が格納された時に前記第１の逆拡散結果記憶手段から前記第１の逆拡散結果を読み出して出力した後に前記第２の逆拡散結果記憶手段から前記第２の逆拡散結果を読み出して出力する構成を採る。
【００１５】
この構成によれば、選択手段が逆拡散重複期間に逆拡散手段を並行して動作させて切替元のパス及び切替先のパスの逆拡散を実行させて拡散結果を生成して保持するから、パス切り替えの時に切替先のパスの伝搬遅延量が切替元のパスの伝搬遅延量よりも小さい時においても逆拡散結果の欠損を生じさせない。また、この構成によれば、１つのフィンガ装置の内部でパスの切り替えを行うため、フィンガ装置を有効に用いることができ、かつ、パス割り当て元においてパスの切替に関する処理負荷を減らすことができる。
【００１６】
本発明のフィンガ装置は、拡散符号を受信信号の入力速度の２倍の速度で生成する倍速符号生成手段と、前記受信信号を一時的に記憶する受信信号記憶手段と、前記受信信号のマルチパスの１つのパスを前記拡散符号によって前記受信信号の入力速度の２倍の速度で逆拡散する倍速逆拡散手段と、制御情報及び前記受信信号記憶手段の記憶量に基づいて前記倍速逆拡散手段の動作を制御する逆拡散動作制御手段と、を具備し、前記逆拡散動作制御手段が、前記受信信号記憶手段の前記記憶量が前記受信信号の符号長の半分の長さに達した時刻ごとに前記倍速逆拡散手段の動作を開始させて前記受信信号の符号長の半分の長さに対応する時間だけ動作させて前記倍速逆拡散手段を断続的に動作させる構成を採る。
【００１７】
この構成によれば、受信信号の入力速度の２倍の速度で行う逆拡散を１符号長ごとに行うことにより切替先パスの逆拡散を開始する時刻を遅らせることができるため、切替先のパスの伝搬遅延量が切替元のパスの伝搬遅延量よりも小さい場合においても、逆拡散結果の欠損を生じさせない。また、この構成によれば、１つのフィンガ装置の内部でパスの切り替えを行うため、フィンガ装置を有効に用いることができ、かつ、パス割り当て元においてパスの切替に関する処理負荷を減らすことができる。
【００１８】
本発明のフィンガ装置は、拡散符号を受信信号の入力速度の１倍又は２倍の速度で生成する符号生成手段と、前記受信信号を一時的に記憶する受信信号記憶手段と、前記受信信号のマルチパスの１つのパスを前記拡散符号によって前記受信信号の入力速度の１倍又は２倍の速度で逆拡散する逆拡散手段と、制御情報及び前記受信信号記憶手段の記憶量に基づいて前記符号生成手段及び前記逆拡散手段の動作を制御する逆拡散動作制御手段と、を具備し、前記逆拡散動作制御手段が、前記逆拡散手段により逆拡散するパスを切り替えるパス切替時間以外の時間において前記符号生成手段が前記拡散符号を前記受信信号の入力速度の１倍の速度で生成し前記逆拡散手段がパスを前記拡散符号によって前記受信信号の入力速度の１倍の速度で逆拡散するように制御し、かつ、前記パス切替時間において前記受信信号記憶手段の前記記憶量が前記受信信号の符号長の半分の長さに達した時刻から前記受信信号の符号長の半分の長さに対応した時刻までの期間のみにおいて前記符号生成手段による前記拡散符号の生成速度を前記受信信号の入力速度の２倍の速度に変更し前記逆拡散手段によるパスの逆拡散の速度を前記受信信号の入力速度の２倍の速度に変更する構成を採る。
【００１９】
この構成によれば、パスの切替時間以外の時に符号生成手段及び逆拡散手段の動作速度を受信信号の入力速度の１倍の速度とし、かつ、パスの切替時間にパスの切替時間のみに符号生成手段及び逆拡散手段の動作速度を受信信号の入力速度の２倍の速度に変更するから、切替先のパスの伝搬遅延量が切替元のパスの伝搬遅延量よりも小さい場合においても、逆拡散結果の欠損を生じさせず、かつ、消費電力を抑えることができる。また、この構成によれば、１つのフィンガ装置の内部でパスの切り替えを行うため、フィンガ装置を有効に用いることができ、かつ、パス割り当て元においてパスの切替に関する処理負荷を減らすことができる。
【００２０】
本発明の通信システムは、前記フィンガ装置を具備する構成を採る。
【００２１】
この構成によれば、前記効果を有する通信システムを得ることができる。
【００２２】
【発明の実施の形態】
本発明の骨子の第１のものは、第１及び第２の逆拡散手段を具備し、前記第１の逆拡散手段により逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に前記第１及び第２の逆拡散手段を並行して動作させて前記切替元のパス及び前記切替先のパスの逆拡散を実行させて前記第１及び第２の逆拡散結果を生成して前記第１及び第２の逆拡散結果記憶手段に記憶させることである。
【００２３】
本発明の骨子の第２のものは、拡散符号を受信信号の入力速度の２倍の速度で生成する倍速符号生成手段と、前記受信信号を一時的に記憶する受信信号記憶手段と、前記受信信号のマルチパスの１つのパスを前記拡散符号によって前記受信信号の入力速度の２倍の速度で逆拡散する倍速逆拡散手段と、を具備し、前記受信信号記憶手段の前記記憶量が前記受信信号の符号長の半分の長さに達した時刻ごとに前記倍速逆拡散手段の動作を開始させて前記受信信号の符号長の半分の長さに対応する時間だけ動作させて前記倍速逆拡散手段を断続的に動作させることである。
【００２４】
以下、本発明の実施の形態について、図面を参照して詳細に説明する。
【００２５】
（実施の形態１）
図１は、本発明の実施の形態１に係るフィンガ装置の構成を示すブロック図である。
【００２６】
図１に示すように、本発明の実施の形態１に係るフィンガ装置１００は、フィンガ制御部１０１、選択部１０２、２つの逆拡散器１０３、１０４、２つのバッファ１０５、１０６及び出力制御部１０７を具備している。逆拡散器１０３は、符号発生部１０３−１と、この符号発生部１０３−１に接続されている逆拡散部１０３−２とを具備している。また、逆拡散器１０４は、符号発生部１０４−１と、この符号発生部１０４−１に接続されている逆拡散部１０４−２とを具備している。
【００２７】
選択部１０２の入力端子は、フィンガ制御部１０１の出力端子に接続されている。符号発生部１０３−１、１０４−１の制御端子は、選択部１０２の出力端子に接続されている。逆拡散部１０３−２、１０４−２の制御端子は、選択部１０２の出力端子に接続されている。バッファ１０５、１０６の入力端子は、逆拡散部１０３−２、１０４−２の出力端子に接続されている。出力制御部１０７の入力端子は、バッファ１０５、１０６の出力端子に接続されている。また、出力制御部１０７の制御端子は、フィンガ制御部１０１の出力端子に接続されている。
【００２８】
フィンガ制御部１０１は、拡散符号の初期値と拡散率と伝搬遅延情報とを含むパス情報に基づいて制御情報を生成する。選択部１０２は、フィンガ制御部１０１からの制御情報に基づいて逆拡散器１０３、１０４を選択して動作させる選択動作信号を逆拡散器１０３、１０４に与える。符号発生部１０３−１、１０４−１は、拡散符号を生成して逆拡散部１０３−２、１０４−２に与える。逆拡散部１０３−２、１０４−２は、選択部１０２からの選択動作信号を受けている時に、受信信号のマルチパスの１つのパスを拡散符号によって逆拡散して逆拡散結果を生成する。バッファ１０５、１０６は、逆拡散部１０３−２、１０４−２からの逆拡散結果を一時的に記憶する。出力制御部１０７は、フィンガ制御部１０１からの制御情報に基づいてバッファ１０５、１０６から逆拡散結果を読み出して出力する。
【００２９】
選択部１０２は、フィンガ制御部１０１からの制御情報に基づいて、逆拡散部１０３−２、１０４−２のいずれか１つにより逆拡散している１つのパスを他のパスに切り替えるパス切替時間以外の時間においては、逆拡散部１０３−２、１０４−２のいずれか１つに選択動作信号を与えて逆拡散部１０３−２、１０４−２のいずれか１つを動作させて逆拡散結果を生成させてバッファ１０５、１０６のいずれか１つに記憶させる。この場合には、出力制御部１０７は、フィンガ制御部１０１の制御情報に基づいて、逆拡散部１０３−２、１０４−２のいずれか１つに記憶されている逆拡散結果を読み出して出力する。
【００３０】
また、選択部１０２は、逆拡散部１０３−２、１０４−２のいずれか１つにより逆拡散している１つのパスを他のパスに切り替えるパス切替において切替元のパスの逆拡散停止時刻が切替先のパスの逆拡散開始時刻より後になる場合に前記切替先のパスの逆拡散開始時刻から前記切替元のパスの逆拡散停止時刻までの逆拡散重複期間に逆拡散部１０３−２、１０４−２を並行して動作させて前記切替元のパス及び前記切替先のパスの逆拡散を実行させて拡散結果を生成してバッファ１０５、１０６に記憶させる。
【００３１】
出力制御部１０７は、フィンガ制御部１０１の制御情報に基づいて、前記逆拡散重複期間に拡散結果が同時にバッファ１０５、１０６に格納された時に、前記切替元のパスの逆拡散結果をバッファ１０５、１０６のいずれか１つから読み出して出力した後に、前記切替先のパスの逆拡散結果をバッファ１０５、１０６のいずれか１つから読み出して出力する。
【００３２】
次に、本発明の実施の形態１に係るフィンガ装置１００の具体的な動作について、図１と共に図２を参照して説明する。図２は、本発明の実施の形態１に係るフィンガ装置１００におけるパスの切替の様子を説明するための図である。
【００３３】
図２において、時刻ｔ１で遅延プロファイル２０１に２つのパスａ、ｂが現れており、かつ、パスｂについての逆拡散中である時に、選択部１０２は、逆拡散部１０３−２に選択動作信号を与えて逆拡散部１０３−２によりパスｂを逆拡散させているものとする。
【００３４】
次に、時刻ｔ２で伝搬路変化等によって遅延プロファイル２０１にパスｂの相関値がパスａを上回ったことが現れたため、パスｂからパスａへのパス切り替えを行う時に、時刻ｔ３でパス割り当て元よりフィンガ装置１００に対しパスａの割当指示がされる。選択部１０７は、フィンガ制御部１０１が算出した切替元のパスｂの逆拡散停止時刻ｔｂ１と切替先のパスａの逆拡散開始時刻ｔａ１とに基づいてｔａ１＜ｔｂ１であるか否かを判断して、ｔａ１＜ｔｂ１でない時には逆拡散器１０３、１０４の動作の状態をそのままに維持する。
【００３５】
また、図２に示したように、選択部１０７は、ｔａ１＜ｔｂ２である時には、切替先のパスの逆拡散開始時刻ｔａ１から切替元のパスの逆拡散停止時刻ｔｂ１までの逆拡散重複期間に逆拡散部１０３−２、１０４−２を並行して動作させて前記切替元のパス及び前記切替先のパスの逆拡散を実行させて拡散結果を生成してバッファ１０５、１０６に記憶させる。その後、選択部１０７は、逆拡散停止時刻ｔｂ１に逆拡散部１０３−２によるパスｂの逆拡散を停止させ、かつ、逆拡散部１０４−２によるパスａの逆拡散を継続させる。
【００３６】
出力制御部１０７は、拡散結果が逆拡散重複期間において同時にバッファ１０５、１０６に格納された時に、選択部１０２からの選択動作信号に基づいて、切替元のパスｂの逆拡散結果をバッファ１０５から読み出して出力した後に、切替先のパスａの逆拡散結果をバッファ１０６から読み出して出力する。
【００３７】
本発明の実施の形態１によれば、選択部１０２が逆拡散重複期間に逆拡散部１０３−２、１０４−２を並行して動作させて切替元のパス及び切替先のパスの逆拡散を実行させて拡散結果を生成して保持するから、パス切り替えの時に切替先のパスの伝搬遅延量が切替元のパスの伝搬遅延量よりも小さい時においても逆拡散結果の欠損を生じさせない。また、本発明の実施の形態１によれば、１つのフィンガ装置の内部でパスの切り替えを行うため、フィンガ装置を有効に用いることができ、かつ、パス割り当て元においてパスの切替に関する処理負荷を減らすことができる。
【００３８】
（実施の形態２）
次に、本発明の実施の形態２について、図面を参照して詳細に説明する。図３は、本発明の実施の形態２に係るフィンガ装置の構成を示すブロック図である。本発明の実施の形態２においては、本発明の実施の形態１と同じ構成要素には同じ参照符号が付されている。
【００３９】
図３に示すように、本発明の実施の形態２に係るフィンガ装置３００は、フィンガ制御部１０１、逆拡散動作制御部３０１、バッファ３０２及び倍速逆拡散器３０３を具備している。倍速逆拡散器３０３は、倍速符号生成部３０３−１と、この倍速符号生成部３０３−１に接続されている倍速逆拡散部３０３−２を具備している。
【００４０】
逆拡散動作制御部３０１の入力端子は、フィンガ制御部１０１の出力端子に接続されている。バッファ３０２、倍速符号生成部３０３−１、倍速逆拡散部３０３−２の制御端子は、逆拡散動作制御部３０１の出力端子に接続されている。倍速逆拡散部３０３−２の入力端子は、バッファ３０２の出力端子に接続されている。
【００４１】
逆拡散動作制御部３０１は、フィンガ制御部１０１からの制御情報に基づいて逆拡散動作制御信号を生成してバッファ３０２、倍速符号生成部３０３−１及び倍速逆拡散部３０３−２に与える。バッファ３０２は、受信信号を一時的に記憶する。倍速符号生成部３０３−１は、逆拡散動作制御部３０１からの逆拡散動作制御信号に基づいて、拡散符号を受信信号の入力速度の２倍の速度で生成して倍速逆拡散部３０３−２に与える。倍速逆拡散部３０３−２は、バッファ３０２からの情報に基づいて、バッファ３０２からの受信信号のマルチパスの１つのパスを倍速符号生成部３０３−１からの拡散符号によって受信信号の入力速度の２倍の速度で逆拡散して出力する。
【００４２】
拡散動作制御部３０１は、バッファ３０２の受信信号の記憶量が前記受信信号の符号長の半分の長さに達した時刻ごとに倍速逆拡散部３０３−２の動作を開始させて前記受信信号の符号長の半分の長さに対応する時間だけ動作させて倍速逆拡散部３０３−２を断続的に動作させる。
【００４３】
すなわち、受信信号はバッファ３０２に一旦記憶され、受信信号が拡散符号長の半分だけ記憶された時に、逆拡散動作制御部３０１は逆拡散器３０３に指示を行って、受信信号の入力速度の２倍の速度で１拡散符号長分の逆拡散を行う。前記２倍速の逆拡散においてバッファ３０２では受信信号の記憶と読み出しが同時に行われて符号長分の積和をした時に、バッファ３０２における受信信号の記憶位置と記憶した受信信号の読み出し位置が等しくなる。前記２倍速の逆拡散は、フィンガ装置３００に割り当てられたパスが１つのみの場合に、１符号長ごとに定期的に行われ、パス切替のような２つのパスが割り当てられた時には２つのパスについての逆拡散が重ならぬよう逆拡散する時刻、受信信号を記憶する位置及び読み出し位置を逆拡散動作制御部３０１が制御する。
【００４４】
次に、本発明の実施の形態２に係るフィンガ装置の具体的な動作について、図３と共に図４及び図５を参照して説明する。
【００４５】
図４は、本発明の実施の形態２に係るフィンガ装置における切替元のパスと切替先のパスの伝搬遅延差が１符号長分である時におけるパスの切替の様子を説明するための図である。
【００４６】
図４に示すように、時刻ｔ１で遅延プロファイル４０１に２つのパスａ、ｂが現れており、かつ、パスｂについての逆拡散中である時に、逆拡散動作制御部３０１はバッファ３０２に受信信号が符号長の半分の長さ分記憶された時刻に、逆拡散器３０３に対し、１符号長分の逆拡散を指示する。逆拡散器３０３は、１符号長分の逆拡散を断続的にかつ定期的に行なう。
【００４７】
次に、時刻ｔ２で伝搬路変化等によって遅延プロファイル４０２に現れるパスａの相関値がパスｂを上回っために、パスｂからパスａへのパス切り替えを行う時に、１つのフィンガ装置３００でこれを行う時に、時刻ｔ３でパス割当元よりフィンガ装置３００に対しパスａの割当指示がされる。逆拡散動作制御部３０１はフィンガ制御部１０１が算出した切替元のパスｂの逆拡散停止時刻ｔｂ２及び切替先のパスａの逆拡散開始時刻ｔａ２に基づいてパスａの２倍速逆核拡散する時刻とバッファ３０２の内部の受信信号読み出し位置を算出する。
【００４８】
図４に示すように、切替先のパスが切替元のパスの伝搬遅延量よりも１符号長分小さい場合に、パスｂを意識せずにパスａについての２倍速逆拡散の開始時刻を算出すると、時刻ｔ４が算出されるが、時刻ｔ４〜ｔ５はパスｂについての２倍速逆拡散する期間と重複するため、パスａについての２倍速逆拡散開始時刻ｔａ２をパスｂについての２倍速逆拡散停止時刻ｔｂ２に遅らせる。時刻ｔ５はパスｂについての逆拡散停止時刻ｔｂ２であり、同時にパスａについての逆拡散の開始時刻であるため、パスａについての拡散符号の生成やバッファ３０２の内の受信信号読み出し位置を算出し、倍速逆拡散器３０３にパスａについての逆拡散を連続して行なわせる。
【００４９】
また、時刻ｔ６は前記パスａの逆拡散が１符号長分の逆拡散を終える時刻であり、次の１符号長分の逆拡散を開始する時刻と同時刻であるため、伝搬遅延差が１符号長ある場合に、倍速逆拡散器３０３は３回目の２倍速逆拡散を連続して行う。時刻ｔ６以降においてはパスｂのみについての動作と同様に符号長の半分を記憶させた後に逆拡散を行っていく。
【００５０】
以上の動作により、伝搬遅延差が１符号長の時のパス切替が行え、その時に必要なバッファ３０２が受信信号を記憶する記憶量は、１．５符号長分でよい。
【００５１】
また、図５は、本発明の実施の形態２に係るフィンガ装置における切替元のパスと切替先のパスの伝搬遅延差が符号長の半分である時におけるパスの切替の様子を説明するための図である。
【００５２】
図５に示すように、時刻ｔ１で遅延プロファイル５０１に２つのパスａ、ｂが現れており、かつ、パスｂについての逆拡散中である時に、逆拡散動作制御部３０１はバッファ３０２に受信信号が符号長の半分の長さ分記憶された時刻に、逆拡散器３０３に対し、１符号長分の逆拡散を指示する。逆拡散器３０３は、１符号長分の逆拡散を断続的にかつ定期的に行なう。
【００５３】
次に、時刻ｔ２で伝搬路変化等によって遅延プロファイル５０２に現れるパスａの相関値がパスｂを上回っために、パスｂからパスａへのパス切り替えを行う時に、１つのフィンガ装置３００でこれを行う時に、時刻ｔ３でパス割当元よりフィンガ装置３００に対しパスａの割当指示がされる。逆拡散動作制御部３０１はフィンガ制御部１０１が算出した切替元のパスｂの逆拡散停止時刻ｔｂ３及び切替先のパスａの逆拡散開始時刻ｔａ３に基づいてパスａの２倍速逆核拡散する時刻とバッファ３０２の内部の受信信号読み出し位置を算出する。
【００５４】
図５に示すように、切替先のパスと切替元のパスの伝搬遅延差が符号長の半分である場合には、パスｂの逆拡散停止時刻ｔｂ３がパスａの逆拡散開始時刻ｔａ３と一致しているから、切替先パスについての逆拡散開始時刻を遅らせることなくパス切り替えが行える。この時に、受信信号を記憶するバッファ３０２の記憶量は、１拡散符号長分でよい。
【００５５】
本発明の実施の形態２によれば、受信信号の入力速度の２倍の速度で行う逆拡散を１符号長ごとに行うことにより切替先パスの逆拡散を開始する時刻を遅らせることができるため、切替先のパスの伝搬遅延量が切替元のパスの伝搬遅延量よりも小さい場合においても、逆拡散結果の欠損を生じさせない。また、本発明の実施の形態２によれば、本発明の実施の形態１と同様に、１つのフィンガ装置の内部でパスの切り替えを行うため、フィンガ装置を有効に用いることができ、かつ、パス割り当て元においてパスの切替に関する処理負荷を減らすことができる。
【００５６】
（実施の形態３）
次に、本発明の実施の形態３について、図面を参照して詳細に説明する。図６は、本発明の実施の形態３に係るフィンガ装置の構成を示すブロック図である。本発明の実施の形態３においては、本発明の実施の形態２と同じ構成要素には同じ参照符号が付されている。
【００５７】
図６に示すように、本発明の実施の形態３に係るフィンガ装置６００は、フィンガ制御部１０１、逆拡散動作制御部６０１、バッファ３０２及び逆拡散器６０２を具備している。逆拡散器６０２は、符号生成部６０２−１と、この符号生成部６０２−１に接続されている逆拡散部６０２−２を具備している。
【００５８】
逆拡散動作制御部６０１の入力端子は、フィンガ制御部１０１の出力端子に接続されている。バッファ３０２、符号生成部６０２−１及び逆拡散部６０２−２の制御端子は、逆拡散動作制御部６０１の出力端子に接続されている。逆拡散部６０２−２の入力端子は、バッファ３０２の出力端子に接続されている。
【００５９】
逆拡散動作制御部６０１は、フィンガ制御部１０１からの制御情報に基づいて、逆拡散動作制御信号を生成してバッファ３０２、符号生成部６０２−１及び逆拡散部６０２−２に与える。バッファ３０２は、受信信号を一時的に記憶する。符号生成部６０２−１は、逆拡散動作制御部６０１からの逆拡散動作制御信号に基づいて、拡散符号を受信信号の入力速度の１倍又は２倍の速度で生成して逆拡散部６０２−２に与える。逆拡散部６０２−２は、逆拡散動作制御部６０１からの逆拡散動作制御信号に基づいて、バッファ３０２からの受信信号のマルチパスの１つのパスを符号生成部６０２−１からの拡散符号によって受信信号の入力速度の１倍又は２倍の速度で逆拡散して出力する。
【００６０】
逆拡散動作制御部６０１は、逆拡散部６０２−２により逆拡散するパスを切り替えるパス切替時間以外の時間において符号生成部６０２−１が拡散符号を受信信号の入力速度の１倍の速度で生成し、かつ、逆拡散部６０２−２がパスを拡散符号によって受信信号の入力速度の１倍の速度で逆拡散するように制御する。また、逆拡散動作制御部６０１は、パス切替時間においてバッファ３０２の記憶量が受信信号の符号長の半分の長さに達した時刻から受信信号の符号長の半分の長さに対応する時間が経過するまでの期間のみにおいて符号生成部６０２−１の拡散符号の生成速度を受信信号の入力速度の２倍の速度に変更し、かつ、逆拡散部６０２−２の逆拡散の速度を受信信号の入力速度の２倍の速度に変更する。
【００６１】
次に、本発明の実施の形態３に係るフィンガ装置６００の具体的な動作について、図６と共に図７を参照して説明する。図７は、本発明の実施の形態３に係るフィンガ装置６００において切替元のパスと切替先のパスの伝搬遅延差が１符号長の半分以上であり、かつ、１符号長以下である時におけるパスの切替の様子を説明するための図である。
【００６２】
図７において、時刻ｔ１で遅延プロファイル７０１に２つのパスａ、ｂが現れており、かつ、パスｂについての逆拡散中である時に、逆拡散動作制御部６０１は、逆拡散部６０２−２に逆拡散動作制御信号を与えて逆拡散部６０２−２によりパスｂを受信信号の速度の１倍で逆拡散させているものとする。
【００６３】
次に、時刻ｔ２で伝搬路変化等によって遅延プロファイル７０２に現れるパスａの相関値がパスｂを上回っために、パスｂからパスａへのパス切り替えを行う時に、１つのフィンガ装置６００でこれを行う時に、時刻ｔ３でパス割当元よりフィンガ装置６００に対しパスａの割当指示がされる。逆拡散動作制御部６０１は、フィンガ制御部１０１が算出した切替元のパスｂの逆拡散停止時刻ｔｂ４及び切替先のパスａの逆拡散開始時刻ｔａ４に基づいて、パスａの２倍速逆核拡散する時刻とバッファ３０２の内部の受信信号読み出し位置を算出する。
【００６４】
図７に示すように、逆拡散動作制御部６０１は、切替元のパスと切替先のパスの伝搬遅延差が１符号長の半分以上であり、かつ、１符号長以下である時に、パス切替時間においてバッファ３０２の記憶量が受信信号の符号長の半分の長さに達した時刻から受信信号の符号長の半分の長さに対応する時間が経過するまでの期間のみにおいて符号生成部６０２−１の拡散符号の生成速度を受信信号の入力速度の２倍の速度に変更し、かつ、逆拡散部６０２−２の逆拡散の速度を受信信号の入力速度の２倍の速度に変更する。この後に、逆拡散動作制御部６０１は、パスｂからパスａへの切り替えが完了した時点で、符号生成部６０２−１の拡散符号の生成速度を受信信号の入力速度の１倍の速度に戻し、かつ、逆拡散部６０２−２の逆拡散の速度を受信信号の入力速度の１倍の速度に戻す。
【００６５】
本発明の実施の形態３によれば、パスの切替時間以外の時に符号生成部６０２−１及び逆拡散部６０２−２の動作速度を受信信号の入力速度の１倍の速度とし、かつ、パスの切替時間にパスの切替時間のみに符号生成部６０２−１及び逆拡散部６０２−２の動作速度を受信信号の入力速度の２倍の速度に変更するから、切替先のパスの伝搬遅延量が切替元のパスの伝搬遅延量よりも小さい場合においても、逆拡散結果の欠損を生じさせず、かつ、消費電力を抑えることができる。また、本発明の実施の形態３によれば、本発明の実施の形態１と同様に、１つのフィンガ装置の内部でパスの切り替えを行うため、フィンガ装置を有効に用いることができ、かつ、パス割り当て元においてパスの切替に関する処理負荷を減らすことができる。
【００６６】
なお、本発明は、通信システムに適用することができる。
【００６７】
【発明の効果】
以上説明したように、本発明によれば、伝搬遅延量が大きいパスから伝搬遅延量が小さいパスへの切替時にも、逆拡散結果の欠損を生じさせることがない。
【図面の簡単な説明】
【図１】本発明の実施の形態１に係るフィンガ装置の構成を示すブロック図
【図２】本発明の実施の形態１に係るフィンガ装置におけるパスの切替の様子を説明するための図
【図３】本発明の実施の形態２に係るフィンガ装置の構成を示すブロック図
【図４】本発明の実施の形態２に係るフィンガ装置における切替元のパスと切替先のパスの伝搬遅延差が１符号長分である時におけるパスの切替の様子を説明するための図
【図５】本発明の実施の形態２に係るフィンガ装置における切替元のパスと切替先のパスの伝搬遅延差が符号長の半分である時におけるパスの切替の様子を説明するための図
【図６】本発明の実施の形態３に係るフィンガ装置の構成を示すブロック図
【図７】本発明の実施の形態３に係るフィンガ装置において切替元のパスと切替先のパスの伝搬遅延差が１符号長の半分以上であり、かつ、１符号長以下である時におけるパスの切替の様子を説明するための図
【図８】従来のフィンガ装置におけるパスの切替の様子を説明するための図
【符号の説明】
１００、３００、６００　フィンガ装置
１０１　フィンガ制御部
１０２　選択部
１０３、１０４、６０２　逆拡散器
１０３−１、１０４−１、６０２−１　符号発生部
１０３−２、１０４−２、６０２−２　逆拡散部
１０５、１０６、３０２　バッファ
１０７　出力制御部
３０１、６０１　逆拡散動作制御部
３０３　倍速逆拡散器
３０３−１　倍速符号生成部
３０３−２　倍速逆拡散部
【図１】
2004072508.tif 000003
【図２】
2004072508.tif 000004
【図３】
2004072508.tif 000005
【図４】
2004072508.tif 000006
【図５】
2004072508.tif 000007
【図６】
2004072508.tif 000008
【図７】
2004072508.tif 000009
【図８】
2004072508.tif 000010